【誤訳訂正書】
【提出日】平成21年7月13日(2009.7.13)
【誤訳訂正１】
【訂正対象書類名】明細書
【訂正対象項目名】全文
【訂正方法】変更
【訂正の内容】
【書類名】      明細書
【発明の名称】  シールされたソール構造を有する靴及びその製造法
【特許請求の範囲】
【請求項１】  シャンク(11)及び本底(19,39)を有するソール構造を備える靴であって、ここで：
シャンク(11)が、甲材料(13)、及びその内側で甲材料(13)を少なくとも部分的に覆う水密性機能層(15)、並びに甲材料末端部(21)及び機能層末端部(23)を伴うソール側の甲材料末端部により構成され、
本底(19)が、甲材料末端部に連接され、機能層末端部(23)が突出物(25)を有し、及び硬化した状態で水密性をもたらす反応性ホットメルト接着剤(33)からなり本底周縁方向に閉じられているグルー接着ゾーンが、突出物(25)に塗布されているような、靴。
【請求項２】  前記本底(19,39)が、それに塗布された本底グルー(35)により甲材料末端部にグルー接着される、請求項１記載の靴。
【請求項３】  前記反応性ホットメルト接着剤(33)が突出物の幅全体を覆うように広がる、請求項１又は２記載の靴。
【請求項４】  前記甲材料末端部が、本底(19,39)の踏み面に対し本質的に垂直に広がり、かつ機能層末端部(23)が甲材料末端部(21)を覆う踏み面に向かう方向に突出している、請求項１〜３のいずれか１項記載の靴。
【請求項５】  甲材料末端部が、本底(19,39)の踏み面に対し本質的に平行に広がり、かつ機能層末端部(23)が本底の中心に向かって甲材料末端部(21)の上に突出している、請求項１〜３のいずれか１項記載の靴。
【請求項６】  機能層末端部(23)が付着されている中底(17)を伴う、請求項１〜５のいずれか１項記載の靴。
【請求項７】  機能層末端部(23)が中底(17)にシーム(31)により接合されている、請求項６記載の靴。
【請求項８】  機能層末端部(23)が、紐釣り込み(45)により、本底(19,39)の踏み面に対し本質的に平行に保持される、請求項５記載の靴。
【請求項９】  前記甲材料末端部(21)が、固定用グルー(43)により機能層(23)に締結されている、請求項１〜８いずれか１項記載の靴。
【請求項１０】  前記突出物(24)が、液体反応性ホットメルト接着剤(33)に対し浸透性の材料で製造された連接ストリップにより橋渡しされ、かつ反応性ホットメルト接着剤(33)が連接ストリップの外側に塗布されている、請求項１〜９のいずれか１項記載の靴。
【請求項１１】  前記連接ストリップがメッシュストリップ(27)に連接されている、請求項10記載の靴。
【請求項１２】  前記メッシュストリップ(27)の第一の長辺が甲材料末端部(21)に締結されている、請求項11記載の靴。
【請求項１３】  前記メッシュストリップ(27)の第一の長辺が甲材料末端部(21)に縫い付けられている、請求項12記載の靴。
【請求項１４】  前記メッシュストリップ(27)の第二の長辺が機能層末端部(23)に締結されている、請求項11〜13のいずれか１項記載の靴。
【請求項１５】  前記メッシュストリップ(27)の第二の長辺が機能層末端部(23)に縫い付けられている、請求項14記載の靴。
【請求項１６】  前記メッシュストリップ(27)の第二の長辺が末端ソール(17)に締結されている、請求項12〜15のいずれか1項記載の靴。
【請求項１７】  前記メッシュストリップ(27)の第二の長辺が中底(17)に縫い付けられている、請求項16記載の靴。
【請求項１８】  前記メッシュストリップ(27)の第二の長辺が機能層末端部(23)を保持する紐釣り込み(45)に締結されている、請求項12〜15のいずれか１項記載の靴。
【請求項１９】  前記メッシュストリップ(27)の第二の長辺が機能層末端部(23)を保持する紐釣り込み(45)に縫い付けられている、請求項18記載の靴。
【請求項２０】  前記甲材料末端部(21)が、第二の紐釣り込み(47)により本底(19,39)の踏み面に平行に保持される、請求項８〜14及び17〜19のいずれか１項記載の靴。
【請求項２１】  前記機能層(15)が水密性及び透湿性の機能層で構成される、請求項１〜20のいずれか１項記載の靴。
【請求項２２】  延伸膨張された微孔性ポリテトラフルオロエチレンで構成される機能層(15)を伴う、請求項21記載の靴。
【請求項２３】  前記本底(19)が、平板様踏み面領域を伴う本質的シェル形及びこれから本質的に垂直に突き出ているシェル縁(40)を有する、請求項１〜22のいずれか１項記載の靴。
【請求項２４】  前記本底(39)が本質的平板形を有する、請求項５〜22のいずれか１項記載の靴。
【請求項２５】  下記の製造工程による靴の製造法：
甲材料(13)及びその内側で甲材料(13)を少なくとも一部分覆っている水密性機能層(15)で構成され、かつソール側に甲材料末端部を備えているシャンク(11)を製造する工程、
甲材料(13)がソール側の甲材料末端部(21)を備え、かつ機能層(15)がソール側の機能層末端部(23)を備え、
ここで、機能層末端部(23)が甲材料末端部(21)の先に伸びる突出物(25)を備える工程；
硬化された状態で水密性をもたらす反応性ホットメルト接着剤(33)によりソール末端方向に閉じられたグルー接着ゾーンが突出物(25)に塗布される工程；
本底(19,39)が甲材料末端部に付着される工程。
【請求項２６】  前記突出物(25)が、液体反応性ホットメルト接着剤(33)に対し浸透性材料で製造された連接ストリップにより橋かけされ、かつこの反応性ホットメルト接着剤(33)がメッシュストリップ(27)の外側に塗布される、請求項25記載の方法。
【請求項２７】  前記連接ストリップがメッシュストリップ(27)に塗布されている、請求項26記載の方法。
【請求項２８】  前記メッシュストリップ(27)の第一の長辺が甲材料末端部(21)に縫い合わせられ、及びメッシュストリップ(27)の第二の長辺が機能層末端部(23)縫い付けられている、請求項27記載の方法。
【請求項２９】  前記ソール構造が中底(17)を備えている、請求項25〜28のいずれか１項記載の方法。
【請求項３０】  前記メッシュストリップ(27)の第二の長辺が中底(17)に縫い付けられている、請求項26〜29のいずれか１項記載の方法。
【請求項３１】  前記機能層末端部(23)が、本底(19,39)の踏み面に本質的に平行に紐釣り込み(45)により伸ばされている、請求項25〜28のいずれか１項記載の方法。
【請求項３２】  メッシュストリップ(27)を伴う靴の製造時に、メッシュストリップ(27)の第二の長辺が紐釣り込み(45)に縫い付けられている、請求項31記載の方法。
【請求項３３】  前記甲材料末端部(21)が、本底(19,39)の踏み面に本質的に平行に第二の紐釣り込み(45)により伸ばされている、請求項31又は32記載の方法。
【請求項３４】  前記反応性ホットメルト接着剤(33)が、突出物(25)及びメッシュストリップ(27)の上への塗布後に、突出物(25)及びメッシュストリップ(27)の表面上の反応性ホットメルト接着剤(33)に接着されていない圧着面を伴う、プレス装置(53)で圧着される、請求項25〜33のいずれか１項記載の方法。
【請求項３５】  水分により硬化可能な反応性ホットメルト接着剤(33)が使用され、これがシールされかつ硬化のための水分に晒される領域に塗布される、請求項25〜34のいずれか１項記載の方法。
【請求項３６】  水分により硬化可能な熱で活性化可能な反応性ホットメルト接着剤(33)が使用され、これが熱により活性化され、シールされかつ硬化のための水分に晒される領域に塗布される、請求項35記載の方法。
【請求項３７】  水密性及び透湿性の機能層(15)が使用される、請求項25〜36のいずれか１項記載の方法。
【請求項３８】  延伸膨張された微孔性ポリテトラフルオロエチレンで構成された機能層(15)が使用される、請求項37項記載の方法。
【請求項３９】  シャンクが連接されていて、ここでポリウレタンを主成分とする反応性ホットメルト接着剤(3)が表面上に塗布され、かつ中底(1)領域で靴底に圧着され及びシャンク部がそれに連接されているような、シャンク及び中底(1)を備えるシールされた靴。
【請求項４０】  開放口グルー相溶性材料(4)が靴全体及び側部に塗布されている、請求項39記載の靴。
【請求項４１】  前記開放口グルー相溶性材料(4)が靴の一部及び側部に塗布されている、請求項39記載の靴。
【請求項４２】  前記開放口グルー相溶性材料(4)が反応性ホットメルト接着剤中で平面接着される、請求項39〜41のいずれか１項記載の靴。
【請求項４３】  更に加工処理される靴底が平らで均一な表面を備えている、請求項39〜42のいずれか１項記載の靴。
【請求項４４】  前記シャンクが中底(1)にグルー釣り込みにより接合されている、請求項39〜43のいずれか１項記載の靴。
【請求項４５】  前記反応性ホットメルト接着剤(3)が、中底及び釣り込みされたシャンクの間に幅約1cmで重ねて塗布される、請求項44記載の靴。
【請求項４６】  シャンクが中底(1)に接合され、ポリウレタンを主成分にした反応性ホットメルト接着剤(3)が表面上に塗布され、かつ中底(1)領域で靴底に圧着され及びシャンク部がそれに連接されているような、シャンク及び中底(1)を伴う靴の製造法。
【請求項４７】  開放口グルー相溶性材料(4)が靴全体及び側部に塗布されている、請求項46記載の方法。
【請求項４８】  開放口グルー相溶性材料(4)が、靴全体及び側部に塗布されている、請求項47記載の方法。
【請求項４９】  開放口グルー相溶性材料(4)が反応性ホットメルト接着剤中で平面接着されている、請求項46〜48のいずれか１項記載の方法。
【請求項５０】  更に加工処理される靴底が平らで均一な表面を備えている、請求項46〜49のいずれか１項記載の方法。
【請求項５１】  前記シャンクが中底(1)にグルー釣り込みにより接合されている、請求項46〜49のいずれか１項記載の方法。
【請求項５２】  前記反応性ホットメルト接着剤(3)が、中底及び釣り込みされたシャンクの間に幅約1cmで重ねて塗布される、請求項51記載の方法。
【発明の詳細な説明】
【０００１】
−発明の分野−
本発明は、シャンク(shank)、及びシャンクに連接された中底を有し、かつ特に好ましくは透湿性である水密性機能層を少なくとも一部備えたシャンクを有し、並びに本底、特にグルー接着された本底を有しているシールされた靴のための、靴シーリングシステム及びシーリング法に関する。更に本発明はこのような靴の製造法に関する。
【０００２】
−発明の背景−
例えば、水密性の層でシャンクの甲材料を被覆することにより、シャンク部分の気密度が高い靴がある。これ（水密性の層）は、透湿性の機能層が好ましく、その層によって通気性を維持しつつ水密性を達成する、すなわち透湿性を達成する。機能層は、該機能層に加え少なくとも1層の織物層を有する機能層ラミネートの一部であることが多い。
ソール側のシャンク末端とソール構造に挟まれた領域の永久的水密性を保証するには特別な努力が必要とされている。
【０００３】
上記目的を達成するために、一方では当該技術分野においてブーティと称されることがある靴下状のインサートがシャンクとソール構造の間で使用され、他方では内部ライナーが使用されてきた。このようなブーティは切断部品の接合により造形されるので、縫製孔を必要としない。しかしブーティをある程度対応する靴の形に一致させる場合には、ブーティの使用に際し多くの製造条件がある。
別の公知の方法は、靴構造の下部がシールされ、従って、シャンクの下部が機能層で覆われ、かつ任意に一体成形された(molded-on)本底の本底材と共に中底に縫い付けられることからなる。しかし水分が、ソール側のシャンク末端に、従ってソール側の機能層末端に達するのを避けることはできず、一般により水を通すシャンクの甲材料において毛管現象により、かつ特にソール側のシャンク末端の切断端上の繊維部分においては水の橋かけ(water bridge)により達し、水分は機能層内部に配置された概して非常に吸水性の高い内側裏張りに達する。
【０００４】
この問題点は、欧州特許第0 298 360 B1号に開示されたソール構造により克服されているが、ここでは、ソール側の甲材料末端部の機能層は甲材料に対する突出物を有し、その突出物がメッシュストリップとの橋渡しをなし、メッシュストリップの片側は甲材料に縫い付けられ、反対側は機能層及び中底に縫い付けられている。次に機能層突出物は本底材によりシールされ、この材料はそれが液状であれば成形時にメッシュストリップに浸透する。メッシュストリップが特に単繊維メッシュストリップならば、これは既に甲材料に沿って本底で覆われたソール側の甲材料末端部まで浸透した水を遮断する代表的なものであり、その結果このような水分はソール側機能層の切断端まで浸透できず、従って靴の内側ライナーに達することはない。
【０００５】
このメッシュストリップによる解決法は、極めてうまくいっていることが証明されている。この場合ソール側機能層末端部のシーリングは本底の一体成形を必要とするため、この公知の方法は一体成形型本底を有する靴に限られ、グルー接着型本底の靴には使用することができない。従って、エレガントな形の靴には利用できない。本底の一体成形には成形の経費がかかり、このことで減価償却期間が長くなり、相当する靴の種類及び相当する靴サイズを大量に製造することが必要となる。
機能層が、ソール側の末端部の甲材料を超え（て延び）る突出物を有し、メッシュストリップが存在しないような靴デザインが知られている。この本底材は、突出物部分において機能層上に直接成形される。この方法もまた、一体成形型本底の靴にのみ適している。
【０００６】
−発明の概要−
本発明により、比較的簡単な手段及び限られた費用で水密性を有する靴を製造することができる。
更に本発明により、本底の如何にかかわらずソール側甲材料末端部が永久的水密性を有する靴を、可能な限り少ない費用及び最も少ない加工工程で製造することが可能である。
本発明の第一の態様のシール靴は、シャンク、及びシャンクが連接された中底を有し、ここではポリウレタンを主成分にした反応性ホットメルト接着剤をその表面に塗布し、かつ中底部の靴底上に圧着し、これにシャンク部を連接する。
本発明ではシャンクを本底に連接する製靴法も示され、それによれば、ポリウレタンを主成分にした反応性ホットメルト接着剤を中底部の靴底面に塗布し、かつシャンク部をそこに連接し、かつ圧着する。従属特許のクレームで、この変型について説明する。
【０００７】
本発明の靴では、ポリウレタンを主成分にした反応性ホットメルト接着剤が表面に塗布され、中底部の靴底に圧着され、それにシャンク部が連接される。
このような状況において、靴底とは、本底を塗布する前の靴底を意味するものである。
【０００８】
反応性ホットメルト接着剤は、反応した状態で水密性を生じる接着剤である。本発明の靴では、この接着剤が靴構造部のシーリングをもたらす。
本発明のひとつの変型では、開放孔のグルー相溶性材料が、靴全体及び靴の側面又はその一部に塗布される。皮革、不織布、フェルト又は類似の材料などの甲材料が、このような材料として使用されることが好ましい。この材料は、反応性ホットメルト接着剤で平面接着されることが好ましい。このことにより、中底から離れている甲材料の表面及び中底から離れている反応性ホットメルト接着剤の表面が、本質的に直に接することになる。この方法により、靴底(前述の意味で)が平らで均一な表面を有する状況が得られ、このことが本底のグルー接着を容易にする。
【０００９】
本発明のひとつの変型において、靴のソール側シャンク部は、グルー釣り込みにより中底に連接される。これは、ソール側シャンク部の釣り込みインサートが、靴底でその後の本底(later outsole)に面する底面上の中底縁に引っ張られ、グルー接着により中底の底面周縁部に付着されることを意味する。グルー釣り込み後、本底塗布前に靴底をシールするために、反応性ホットメルト接着剤が靴底(前述の意味で)に塗布される。
グルー釣り込み型の靴の場合、反応性ホットメルト接着剤は、中底と釣り込まれたシャンク間が幅約1cmで重なるよう塗布されることが好ましい。これにより、釣り込みインサートの内側縁が反応性ホットメルト接着剤により確実にシールされる。
【００１０】
本発明のひとつの変型では、反応性ホットメルト接着剤は、釣り込みインサートにより被覆されていない中底の底面全体及び前述の釣り込みインサートと重なる部分に塗布される。
【００１１】
本発明においては、釣り込み用グルーによるグルー釣り込みに加えて、更に反応性ホットメルト接着剤によるシール接着が生じる。
本発明の製靴では、通常のグルー釣り込みを改変することなく利用することができる。ソール構造部で水密性を得るには、必要な反応性ホットメルト接着剤を、まだ本底が備わっていない靴底に塗布するだけでよい。従って、非常にわずかな費用の上乗せで水密性が達成される。
【００１２】
別の態様では、本発明はシャンク付き、かつ本底を有するソール構造の靴に関し、ここでシャンクは、甲材料、及びその内側で甲材料を少なくとも部分的に覆っている水密性機能層、並びに甲材料末端部及び機能層末端部を伴うソール側甲材料末端部で構成され、本底は甲材料末端部と連接され、機能層末端部は甲材料末端部の先に伸びる突出物、かつ反応状態で水密性をもたらす反応性ホットメルト接着剤からなり突出物に塗布される本底周縁方向に閉じられたグルー接着ゾーンを有する。
【００１３】
この態様に従い、本発明は次の製造工程による製靴方法にも関する：甲材料、及びその内側で甲材料を少なくとも一部覆う水密性機能層で構成され、かつソール側に甲材料末端部を備えるシャンクを製造する工程；甲材料がソール側に甲材料末端部を備え、かつ機能層がソール側に機能層末端部を備え、機能層末端部は甲材料末端部の先に伸びる突出物を備える工程；反応状態で水密性を獲得する反応性ホットメルト接着剤からなりソール周縁方向に閉じられたグルー接着ゾーンが、突出物に塗布される工程；及び、本底が甲材料末端部に付着される工程。有益な改変については、従属クレームで述べる。
【００１４】
上記２態様は、有益に組み合わせることができ、すなわち反応性ホットメルト接着剤で靴底全体及び突出物も覆うことができる。
本発明の靴は、シャンク及び本底を有し、シャンクは甲材料及び内側で甲材料を少なくとも部分的に覆う水密機能層からなり、かつソール側に甲材料末端部及び機能層末端部を伴う甲材料末端部を有する。本底は甲材料末端部と連接されている。機能層末端部は甲材料末端部の先に伸びる突出物を有する。反応状態で水密性をもたらす反応性ホットメルト接着剤からなるグルー接着ゾーンを突出物に塗布し、本底の周縁方向に閉じられる。
【００１５】
本底材を有する前述タイプの通常の靴で達成されるシーリング機能は、本発明の靴において、機能層末端部の突出物に、一方で硬化前の液体状態で特に高いクリープ性能を有し、他方硬化状態で特に高度かつ永久的な水密性を達成するようなホットメルト接着剤を塗布することによりもたらされる。反応性ホットメルト接着剤は、例えば、ひき伸ばし、噴霧並びに線状グルーもしくは数珠状グルーなど非常に単純な手段により塗布することができ、加熱により反応性ホットメルト接着剤は接着性となり、そうすることで、硬化前に突出物に付着することができ、それに伴い機能層との永久的な結合がその突出物部分で始まる。
従って、望ましい本底を有する水密性靴のソール構造の水密性が、非常に単純な加工工程による極めて簡単な方法で達成される。従って、本発明による方法は、水密性靴の製造を安価なものにする。
【００１６】
本発明の第二の態様に従ったひとつの変型では、甲材料末端部が、本底の踏み面に対し本質的に垂直に伸び(垂直方向への広がりについては下記参照)、かつ機能層末端部は、踏み面方向に甲材料末端部上で突出している。本発明の別の変型では、甲材料末端部が、本底の踏み面に対し本質的に平行に伸び(水平方向への広がりについても下記参照)、かつ機能層末端部は、本底の中心方向に向かい甲材料末端部上で突き出ている。第一の変型は、本底の踏み面に対し垂直に突き出ている末端を有するシェル状本底に特に適している。後者の変型は、よりエレガントな靴で用いられるような、平板状本底の靴に特に適している。
【００１７】
本発明の第二の態様に従った1変型では、突出物を連接ストリップで橋渡しし、その長辺は甲材料末端部に連接され、かつ反対側の長辺は機能層末端部に連接されている。本発明の別の変型では、突出物を上記のように橋渡ししない。
反応性ホットメルト接着剤は、連接ストリップが存在しない場合は機能層に対し直接突出物部分に塗布されるか、又は連接ストリップが存在する場合は突出物を被覆する連接ストリップの外側に塗布される。後者の場合に機能層を反応性ホットメルト接着剤でシールするには、連接ストリップとして、硬化前は液体もしくは液体を生じる反応性ホットメルト接着剤に透過性を示す材料を選択する。
【００１８】
前述の連接ストリップの存在は、一方で機能層末端部及びグルー接着した本底の間の永久的水密性シーリングを可能にし、他方で例えば最後に、紐釣り込みもしくは仮止めの方法で、機能層末端部を引っ張る間に機能層に対して働く張力が、甲材料全体もしくは少なくともその一部へ向くようにし、負荷能の低い機能層に対し集中的に作用することがないようにする。
連接ストリップとしては、熱可塑性メッシュ材もしくは特に単繊維材などの繊維材から形成されるオープンメッシュ材で構成されることが好ましい。しかし、連接ストリップはその他の形のもの、例えば、ステープル、大型ループもしくはロングステッチもしくは類似の構造のものが可能である。連接ストリップの主な役割は、永久に水密性を有する機能層シーリングを行うために液状の反応性ホットメルト接着剤の適当な流れを十分に浸透させ、かつ甲材料及び中底材間(釣り込み時)もしくは紐釣り込みにおける機能層の負荷の削減及び負荷の移動もしくは分配を可能にすることである。
【００１９】
Article Number 23851記載のGrebruder Jaeger社(ウッパータール、ドイツ)製のメッシュストリップは、本発明の靴に適している。
本発明は中底付き又は中底なしの靴に適している。後者の場合、ソール側機能層末端部を紐釣り込みにより互いに釣り込む。その後甲材料末端部を機能層末端部に任意にメッシュストリップを介しグルー接着もしくは縫製するか、又は機能層末端部及び甲材料末端部を紐釣り込みにより互いに釣り込む。
メッシュストリップによる本発明の1変型においては、片側の長辺が甲材料末端部に連接され、もう一方の長辺が機能層末端部及び任意に中底に、好ましくは縫製により連接される。
【００２０】
本発明の靴の製造のための本発明による製法は次の通りである：甲材料、及び内側で甲材料を少なくとも一部覆っている水密機能層で構成され、並びにソール側に甲材料末端部を備えるシャンクを製造する。この甲材料は、ソール側に甲材料末端部を備え、かつ機能層はソール側に機能層末端部を備え、ここで機能層末端部は甲材料末端部の先に伸びる突出物を備えている。反応状態で水密性をもたらす反応性ホットメルト接着剤が突出物に塗布されることから、グルー接着ゾーンは本底の周縁方向に閉じられる。本底は甲材料末端部に固定される。
【００２１】
反応性接着剤の機能層へのグルー接着は、反応接着剤を突出物上へ塗布した後機能層に対し機械的に力を加えると特に密着性が得られる。これに適したプレス装置は、例えば反応性ホットメルト接着剤により水分を帯びず、従って反応性ホットメルト接着剤に接着しない、例えば無孔質ポリテトラフルオロエチレン(商標名テフロン（登録商標）としても知られる)でできている平滑な材料表面を持つ圧力クッションの形が好ましい。例えばラバークッションもしくはエアークッションなどの圧力クッションはこの目的で使用するのに好ましく、その加圧面は、例えば前述の無孔質ポリテトラフルオロエチレンなどのフィルムでコーティングするか、もしくはこのようなフィルムを、プレス加工前に、反応性ホットメルト接着剤を塗布したソール構造及び圧力クッション間に配置する。
【００２２】
本発明のひとつの変型では、本底を通常の溶剤接着剤もしくは熱接着剤でグルー接着するが、それには例えばポリウレタンを主成分にした接着剤が含まれる。溶剤接着剤は、揮発性溶剤を添加することにより粘着性を帯び、溶剤の蒸発により硬化する接着剤である。熱接着剤は、熱可塑性接着剤と呼ばれる熱接着剤であり、これは加熱により粘着性となり、冷却により硬化される。このような接着剤は再加熱により、繰り返し粘着状態に戻る。
【００２３】
水分により硬化可能となる反応性ホットメルト接着剤の使用が好ましく、これはグルー接着される部分に塗布され、かつ硬化のため水分に晒される。本発明のひとつの変型では、熱活性化性及び湿分硬化性の反応性ホットメルト接着剤が使用されるが、これは熱により活性化され、グルー接着部に塗布され、硬化のために水分に晒されている。熱により活性化され、蒸気などの水分により硬化反応を起こすことができる反応性ホットメルト接着剤を使用すると、本発明による製靴は特に簡単で経済的である。
【００２４】
発泡性の反応性ホットメルト接着剤も使用することができ、この接着剤の増大した容量を利用することが意図される場合には、これは空隙を埋め、かつメッシュストリップ部に形成されるギャップもしくはニッチに浸透させるのに特に適している。これにより、特に確実な水密性を得ることができる。例えば窒素及び酸素の混合物である気体により、反応性ホットメルト接着剤を塗布する間かき混ぜることにより発泡が生じる。
【００２５】
活性化前、接着剤は平均分子量約3,000〜5,000g/mol範囲の比較的短鎖分子からなり、非粘着性であり、任意に加熱により活性化させ反応状態に導き、この状態で比較的短鎖の分子が架橋し長鎖分子となり、そうすることにより、主に湿気を帯びた大気において硬化し、これは反応性ホットメルト接着剤と称される。本接着剤は、反応もしくは硬化状態で粘着性を有する。架橋により硬化した後、これらは再活性化することはできない。硬化時には、三次元的な分子鎖の架橋が生じる。三次元的架橋により、接着剤への水分浸透に対する、特に強力な防護が生じる。
【００２６】
ポリウレタン反応性ホットメルト接着剤、樹脂、芳香性炭化水素樹脂、脂肪族炭化水素樹脂、例えばエポキシ樹脂形などの縮合樹脂が、本発明の目的に適っている例である。
ポリウレタンの反応性ホットメルト接着剤(以後PU反応性ホットメルト接着剤と称す)が特に好ましい。
硬化を生じるPU反応性ホットメルト接着剤の架橋反応は、通常水分により生じ、これは大気水分で十分である。ブロック化されたPU反応性ホットメルト接着剤の場合、その架橋反応は熱エネルギーによるPU反応性ホットメルト接着剤の活性化後のみ始まるので、このようなホットメルト接着剤は、開放状態で、すなわち大気水分に晒して保管することができる。他方で、ブロック化されないPU反応性ホットメルト接着剤があり、この場合、大気水分が周囲に存在すれば、室温で既に架橋反応が始まっている。後者の反応性ホットメルト接着剤は架橋反応が生じていないとされる限り、大気水分から防護して保管しなければならない。
【００２７】
両型のPU反応性ホットメルト接着剤は通常、剛性ブロックの形で無反応状態で入手される。グルー接着部に塗布する前に、反応性ホットメルト接着剤を加熱し溶融し、その結果広げることや塗布することができるようになる。非ブロック化反応性ホットメルト接着剤を使用する場合、大気水分を除去し上記のように加熱しなければならない。ブロック化された反応性ホットメルト接着剤の使用に上記処置は不要であるが、加熱温度は脱ブロック化活性化温度以下を確実に維持しなければならない。
【００２８】
本発明のひとつの変型において、ブロック化もしくはキャップしたイソシアネートで構成されたPU反応性ホットメルト接着剤が使用される。イソシアネートのブロック化を克服し、その結果ブロック化されたイソシアネートで構成された反応性ホットメルト接着剤を活性化するには、熱による活性化を行わなければならない。このようなPU反応性ホットメルト接着剤の活性化温度は大体のところ、70〜80℃の範囲である。
【００２９】
本発明の別の変型では、非ブロック化PU反応性ホットメルト接着剤が使用される。その架橋反応は加熱により促進することができる。
本発明の方法の実践的1変型において、H.P.Fuller (ウェールズ、オーストリア)製のIPATHERM S 14/242という名称で入手可能なPU反応性ホットメルト接着剤が使用される。本発明の別の変型では、ヘンケルAG(デュッセルドルフ、ドイツ)製 Macroplast QR 6202という名称で入手可能なPU反応性ホットメルト接着剤が使用される。
【００３０】
水の不浸透性だけでなく透湿性を有する機能層が特に好ましい。これにより、水密性を有しながら通気性を残している水密性靴の製造が可能になる。
機能層は、任意の機能層の縫製を含め、少なくとも1.3×104Paの水浸透圧を保証する場合に「水密性」があるとみなされる。機能層材料は、水浸透圧1×105Pa以上を保証することが好ましい。水浸透圧は、蒸留水を20±２℃で、圧力を高めながら100cm3の機能層サンプルに適用するという試験法で測定する。水圧の上昇は、60±3cmH2O/分である。水浸透圧はその場合、サンプルの反対側に水が最初に認められた時点の水圧に相当する。この試験手順についての詳細は1981年のISO Standard 0811に示されている。
【００３１】
「機能層」は、透湿性値Retが150m2・Pa/W未満である場合に透湿性を有するとされる。透湿性は、Hohensteinスキンモデルを基に試験を実施する。この試験方法はDIN EN 31092 (02/94)もしくは ISO 11092 (19/33)に記載されている。
靴の水密性試験は、例えば、米国特許第5,329,807号に開示された型の遠心装置により実施する。該特許に開示された遠心装置は、靴を保持するための回転可能な保持バスケット４個を備えている。これは２〜４個の靴もしくは長靴を同時に試験することができる。この遠心機では、靴を高速で回転させることにより生じる遠心力を用い、水の浸透性のある部分を見つける。遠心する前に、靴の内側に水を充満させる。靴の外側に、吸取り紙もしくはペーパータオルのような吸収材をあてる。遠心力により靴に充満された水に圧力がかかり、靴が浸透性を有する場合、水が吸収材に達する。
【００３２】
このような水密性試験では、最初に靴中に水を充満させる。十分な固有の剛性を示さない甲材料を有する靴では、安定化のためにシャンクの内側の空間に剛性材料を入れ、遠心時のシャンクの破損を防ぐ。相当する保持バスケット毎の試験対象靴上に、吸取り紙もしくはペーパータオルを置く。その後、所定時間、遠心機を回転させる。その後遠心機を停止し、吸取り紙もしくはペーパータオルが湿気を帯びているかどうかを検査する。湿気を帯びていた場合、試験対象靴は水密性試験に不合格となる。乾燥していれば、試験対象靴は合格で、水密性を有するとみなされる。
【００３３】
遠心時の水圧は、靴表面の有効度、靴のサイズ(ソールの内面)、靴に満たした水の重量、遠心機の半径及び遠心速度の作用によって決まる。
水密性、透湿性機能層に適した材料として、米国特許第4,725,418号及び米国特許第4,493,870号に開示されたポリウレタン、ポリプロピレン及びポリエステルで、ポリエーテルエステル及びそのラミネートなどを含むものが挙げられる。しかし、米国特許第3,953,566号及び米国特許第4,187,390号に開示されたように延伸膨張された微孔性ポリテトラフルオロエチレン(ePTFE)が特に好ましく、また例えば米国特許第4,194,041号に開示された親水性含浸剤及び／又は親水層を備える延伸膨張されたポリテトラフルオロエチレンが特に好ましい。微孔性機能層とは、平均細孔径が約0.2μm〜約0.3μmである機能層を指すと理解される。
【００３４】
細孔径は、米国フロリダ州のCoulter Electronics社(ハイアレア、フロリダ、米国)製のCoulterポロメーター（登録商標）により測定可能である。
Coulterポロメーターは、液体浸透法を用いる多孔性媒体中の細孔粒度分布の自動測定を行う測定機器である(ASTM Standard E 1298-89に記載)。
Coulterポロメーターは、サンプル上への空気圧を増加し、その結果生じる流量を測定することにより細孔粒度分布を決定する。この細孔粒度分布は、サンプルの細孔の均一度を測る基準となる(例えば、細孔粒度分布が狭範囲であれば、最小細孔径と最大細孔径間の差は限定されたものであることを示す)。この値は、最小細孔径で最大細孔径を割ることにより得られる。
Coulterポロメーターはまた、平均流量に対する細孔径を算定する。その定義によれば、多孔質サンプルを通る流量の半量は、平均流量に対する細孔径以上又は以下の径の細孔を通る。
【００３５】
ePTFEを機能層として使用する場合、反応性ホットメルト接着剤はこの機能層の細孔へのグルー接着工程時に浸透することができ、この機能層への反応性ホットメルト接着剤の機械的停留をもたらす。ePTFEからなる機能層は薄いポリウレタン層を備え、その層の片側はグルー接着工程で反応性ホットメルト接着剤と接触し、薄いポリウレタン層に接する。PU反応性ホットメルト接着剤をこのような機能層の連結に使用すると、PU反応性ホットメルト接着剤と機能層上のPU層の間で、機械的な接着のみでなく、化学的接着も生じる。これにより、機能層と反応性ホットメルト接着剤の間に特に緊密なグルー接着がなされ、その結果特に耐久性のある水密性が保証される。
【００３６】
甲材料としては皮革又は織物が適している。織物のうちには、織布、ニット、メッシュ、不織布又はフェルトが含まれる。これらの織物は、例えばウール又はビスコースなどの天然繊維、ポリエステル，ポリアミド、ポリプロピレンもしくはポリオレフィンなどの合成繊維、又はこの材料のうち少なくとも2材料の混合により製造される。
ライナー材は通常、シャンクの甲材料の内側に配置される。前述の甲材料と同様の材料がこの目的に適する。
【００３７】
機能層を使用する場合、ライナー材は通常内側に配置される。甲材料として先に述べたものと同様の材料がライナー材として適し、これは機能層ラミネート中の機能層に接合されることが多い。機能層ラミネートもまた２層以上からなり、その中にライナー層から離れて重なる機能層側に織物の裏材が認められる。
本発明の靴の本底は、ラバーもしくは例えばポリウレタンなどのプラスチックのように水密性の材料、又は皮革もしくはラバーやプラスチックのタルジアを備えた皮革など水密性ではないが通気性の材料からなることができる。非水密性本底材料の場合、本底は通気性を維持しながら、少なくともソール構造がその他の手段により水密性を得ていない部分に、水密性、透湿性の機能層を備えることで、水密性とすることができる。
【００３８】
本発明の靴の中底は、ビスコース、例えば溶融繊維が加えられたポリエステル不織布などの不織布、皮革もしくはグルー接着した皮革繊維などからなることができる。中底は、Texon Monkmuhl社(モックムール、ドイツ)からTexon Insoleという名称で入手可能である。このような材料からなる中底は水浸透性を有する。このような材料又はその他の材料からなる中底では、その表面もしくは内側に水密性材料からなる層を配置することにより水密性が得られる。この目的のため、Rhenoflex社(ルートビヒスハーウェン、ドイツ)製のキャップ材V25を備えたフィルムを、アイロンにより被せることができる。中底が水密性ばかりでなく透湿性をも有するならば、好ましくはePTFE(延伸膨張された微孔性ポリテトラフルオロエチレン)で構成された水密性、透湿性機能層を備えることが好ましい。この方法で装着された皮革中底は、W.L.Gore&Associates社(プツブルン、ドイツ)のTOP DRY（登録商標）として入手可能である。
【００３９】
反応接着剤の靴底への塗布後、靴底に対し機械的力を加えると、反応性接着剤の靴底へのグルー接着は特に密着度の高いものになる。この目的に適するプレス装置としては、反応性ホットメルト接着剤により湿気を帯びない平滑な材料面を有し、従って反応性ホットメルト接着剤への接着性のない、例えば無孔質ポリテトラフルオロエチレン(テフロン（登録商標）という商標名で知られる)でできた圧力クッションの形が好ましい。圧力クッションはラバークッションもしくはエアークッションの形で、この目的のために使用することが好ましく、その圧着面を無孔ポリテトラフルオロエチレンなどの前述の材料でコーティングするか、もしくはそのようなフィルムを、プレス工程前に反応性ホットメルト接着剤を塗布したソール構造及び圧力クッション間に挿入する。
本発明を、変型に関して更に説明する。
【００４０】
−発明の好ましい変型の詳細な説明−
図１に示された本発明の第一の変型靴は、中底1、グルー釣り込みより中底1に連接された釣り込み縁部2を備えるシャンク2、並びに中底1及び釣り込み縁部2の底面に塗布された反応性ホットメルト接着剤3を有する。次に反応性ホットメルト接着剤3は、釣り込み縁部2で被覆されていない中底の底面全体、及び中底1のこの部分に隣接した釣り込み縁部2の一部分を被覆する。好ましい変型において、釣り込み縁部2の上の反応性ホットメルト接着剤3の重なり3aの幅は約1cmである。
【００４１】
このような靴は好ましくは下記のように製造される：
中底1は、最初に靴型の底面(図示せず)に締結される。次にシャンクを靴型に沿って伸ばし、中底底面の周縁部を、通常の靴型接着により提供し、かつ釣り込み縁部2を中底底面上に引張り、それにグルー接着させる。その後平らで均一な表面を持つ靴底を得るために、反応性ホットメルト接着剤3を、中底1及び釣り込み縁部2の底面に塗布し、かつそこで圧着する。
この製造状況は、図2の側面図に示している。
その後本底(図示せず)を、例えばグルー接着により、反応性ホットメルト接着剤3を備えた靴底に貼り付けた。
この靴底又はソール構築物は、反応性ホットメルト接着剤3により水密性となる。
【００４２】
図3に記された本発明の第二の変型は、これが、反応性ホットメルト接着剤3中に平面接着される、開口気孔性の容易に接着される材料4により中底1から離れて面している下面上に提供されること以外は、図1及び2に示された靴と一致する靴を示している。この材料4の適用により、待ち時間が短縮され、かつこのように製造された靴は直ぐに更なる加工処理を行うことが可能になる。
【００４３】
図2に対応する第二の変型の靴の側面は、図4に示されており、これにより材料4の反応性ホットメルト接着剤3による平面接着が容易に明らかである。
この反応性ホットメルト接着剤3は、粘着性接着剤として塗布されることが好まく、この場合流動度は、反応性ホットメルト接着剤3の加熱強度により影響を受ける。
【００４４】
反応性ホットメルト接着剤3を中底1及び釣り込み縁部2の底面上に圧着するためのプレス装置5が、図5に非常に概略的に示されている。この目的のためには、既述の型の圧力クッションが特に適している。
下記で使用される用語垂直及び水平は、個々の靴構成要素の位置を説明するために使用する。これは図面の説明に関連し、かつほとんどの場合、靴が水平床上又は一部は水平支持体の別型上にそれらの本底と共に配置されるという考えに対応している。
図6は、甲材料13及びその内側を覆っている機能層15と共に構成されたシャンク11を伴う、本発明の靴の第三の変型の非常に概略化された断面図を示している。機能層15は、機能層及びその内側にライナー層を有する機能層ラミネートの一部であることができる。機能層15は同じく、甲材料13に面するその外側に裏布(図示せず)を備えることもできる。更に機能層及び裏張りが個別の材料層である変型もある。
【００４５】
図6は、中底17、及びゴム及び／又はプラスチックで構成されるシェル様の組立られた本底19を示す。甲材料13及び機能層15は、垂直な末端を持つ甲材料末端部21及び機能層末端部23を有し、すなわちこれは本底19の踏み面に対し垂直である。機能層末端部23は、甲材料末端部21に対する突出物25を有する。この突出物25は、メッシュストリップ27により橋渡しされている。メッシュストリップの上側の第一の長辺は、第一のシーム29により甲材料末端部21の下端に縫い付けられている。メッシュストリップ27の下側の第二の長辺も、Strobelシームにより、中底17及び機能層末端部23の下端の両方に縫い付けられている。
【００４６】
硬化した状態で水密性をもたらす反応性ホットメルト接着剤33は、メッシュストリップ27の外側に塗布される。例えば熱により反応性ホットメルト接着剤が到達する液体状態においては、反応性ホットメルト接着剤33は、メッシュストリップ27に浸透し、かつ機能層の外側の突出物部分25に進入する。次に硬化された状態においては、反応性ホットメルト接着剤33が、機能層15のこの部分を水密性にシールする。この反応性ホットメルト接着剤33は、更に機能層末端部23の下端において機能層15切断端をシールする程度及び量で塗布されることが好ましい。機能層末端部23に隣接している中底17の周縁部及び機能層15が関与している締結シームも、シールされることが好ましい。
【００４７】
水−又は液体−導入性の甲材料13に沿って甲材料末端部23の下端へと浸透する水及び他の液体は、機能層15の内側に到達することができず、従って、靴の内側裏張りに到達することができず、その理由は反応性ホットメルト接着剤33によりシールするためである。
本底接着剤35は、本底19の内側全体に塗布されることが好ましく、この場合溶剤接着剤又はホット接着剤の形状の通常の本底接着剤が関与することができる。更に本底接着剤37は、甲材料13に外側にも塗布することができる。図1に示された第一の変型の靴の製造状態が、靴底側の中底17及び甲材料末端部へグルー接着するために、これが本底19の前に、中底17に対して上向きに圧着される。本底接着剤35は本底19のシェル末端40の内側に到達し、甲材料末端部に塗布された本底接着剤37とグルー連接する。
【００４８】
よりよい説明及び明確化のために、靴構造の個々の構成要素の間の空隙は、図6とそれ以降の図面において実際よりも大きく描かれている。個々の構成要素間の空隙は、実際に必要な大きさとされ、その結果本底19の中底17上への圧着後、シェル末端40は、甲材料13の外側に対して密接して位置し、かつ甲材料13にグルー接着される。
図7は、図6に示された第一の変型と大部分一致するが、第二の変型では、甲材料末端部21のみが垂直に末端を成し、機能層末端部23は水平に末端を成す、すなわち本底19の踏み面とは平行である（という）程度に、第一の変型から異なる、本発明の靴の第四の変型を示している。従って、機能層末端部23の突出物25、更に本質的にメッシュストリップ27及び反応性ホットメルト接着剤33は水平に伸びている。水平の機能層末端部23の広がりのために、中底17は、靴構造の全ソール幅よりも広いことはなく、その周縁部は、シャンク11の垂直部分から離れている。他方、第二の変型の追加の態様に関して、第一の変型に関して先に述べたことについては第一の変型と一致する。
【００４９】
図8は、本発明の第五の変型を示しているが、ここでは、甲材料末端部21及び機能層末端部23は両方共水平に伸び、このことは、この変型において、メッシュストリップ27及び反応性ホットメルト接着剤33がほぼ水平に広がっていることにつながる。このような靴のデザインは、第一及び第二の変型とは異なり、シェル様本底のシェル縁によりシャンク11の垂直末端部が含められる必要が無いので、平板状本底39の使用を可能にする。この理由のために、例えばエレガントな靴にとって望ましい例えば皮革ソールのようなあらゆる本底を、第三の変型に使用することができる。本底39のほとんど水平の踏み面のために、甲材料13の外側に塗布される本底接着剤33は、水平に伸びている甲材料末端部21に塗布される。
【００５０】
図8に示した第五の変型を、本底は除いている部分破断図として図9に示している。この図は、靴型41、これを覆うようにシャンク11が引っ張られた状態を示している。図8と異なり、図9においては個別のライナー層43が機能層15の内側に示されていることである。図4は、反応性ホットメルト接着剤がメッシュストリップ27の底面のみに塗布されているが、メッシュストリップ27を通って機能層末端部23への浸透が強制されていない状態の靴デザインを示している。
【００５１】
図10も、本底39を中底17底面への及びシャンク11の垂直部分の底面へのグルー接着した後の、部分破断透視図で、図9の靴デザインを示している。この図では、靴から既に靴型41が取り除かれている。
よりよい説明のために、靴底構造を、円形切抜き内に拡大して示している。このことをまとめると、製造のこの段階で、反応性ホットメルト接着剤33は、既に機能層15まで浸透している。
図11は、図10の切断がなされた靴の部位を示すために靴の一部が切断された、図10に示した靴の全体の斜視図を示している。
図12は、第六の変型でメッシュストリップ27が存在しない以外は、図6に示した第三の変型と一致する、本発明の靴の第六の変型を示している。従って、第三の変型に関する先の説明をほぼ参照することができる。
【００５２】
第六の変型において、甲材料末端部21の下端及び機能層末端部23の下端及び中底17の間の連接は、本底19のグルー接着の前、及び甲材料末端部の反応性ホットメルト接着剤33へのグルー接着前には存在しない。反応性ホットメルト接着剤33の塗布の後のみ、連接が存在し、これは、必ずしも必要ではない甲材料末端部の下端を含む範囲に反応性ホットメルト接着剤33が塗布された場合の、甲材料末端部21及び機能層末端部23の間のそのグルー接着作用のためである。本底19の中底17及びシャンク11へのグルー接着の後、甲材料末端部21も本底19のシェル縁40により側方が固定される。
【００５３】
図13に示された第七の変型は、甲材料末端部21が機能層15の外側の固定グルー43により固定されることのみを除いて、図13に示している第六の変型に一致する。これにより、本底19のグルー接着前の製造工程においてシャンク11をより容易に取り扱うことができる。
図14に示された第八の本発明の変型は、メッシュストリップが存在しない以外は、図7の第四の変型と一致する靴構造を示している。第四の変型との一致点に関して、図7に関する説明は参照することができる。図12に示された第六の変型の場合のように、第八の変型の反応性ホットメルト接着剤33も、機能層末端部23の突出物25の外側に直接塗布され、これは反応性ホットメルト接着剤33による機能層末端部23を特に良好にシールするグルー接着をもたらす。
【００５４】
図12の第六の変型に対応する図14の第六の変型において、固定グルー接着は、甲材料末端部21及び機能層15の外側の間には示されていない。従って甲材料末端部21は、反応性ホットメルト接着剤33によるグルー接着の前及び本底19のグルー接着の前に機能層15の外側におおまかに置かれている。
【００５５】
図15は、図14に示された第八の変型に関する改変を表している第九の変型を示しており、これは、追加の製造工程、すなわち機能層末端部23の中底17への縫い付けが実施される前に甲材料末端部21が機能層15の垂直部分の下端の外側にある固定用グルー43により固定された時に、反応性ホットメルト接着剤33の塗布及び本底19のグルー接着を表している。別の状態では、先行する図面の先の説明は、第七の変型に言及している。
【００５６】
図16に示された本発明の第十の変型は、メッシュストリップが存在しないこと以外は、図8に示された第五の変型に一致している。従って図8に関する先の説明を大部分参照することができる。第十の変型においても同様に、反応性ホットメルト接着剤33が、恐らく水平甲材料末端部の末端21、中底19の周縁端及びStrobelシーム31が反応性ホットメルト接着剤33によるシールに含まれるような範囲で、機能層末端部23の突出物25の外側に直接塗布される。この変型において、機能層15及び甲材料末端部21の間はグルー接着により固定されない。
図17に示された第十一の変型は、甲材料末端部の末端21が、固定グルー43により機能層末端部23の外側に固定されること以外は、図16に示された第十の変型に一致する。
【００５７】
本発明の第十二の変型の図18は、中底を伴わないか又は靴の示した領域内には中底を伴わないような靴を示している。例えばつま先部分内には中底を伴わず、靴の残りの部分は中底を伴うように、靴の長さの部分について構成された靴がある。
図18に示された靴又は靴の一部は中底を含まないので、垂直なシャンク部分の構成要素、すなわち水平甲材料末端部21及び水平機能層末端部23は、それらの水平位置に一部別の方法で固定されなければならない。この目的のために、紐釣り込み45が使用され、これにより、機能層末端部23が互いに紐で結ばれる。この紐釣り込み45は、機能層末端部23の内側周縁の全体に伸びているループ様紐穴49を有し、その中に紐51が配置され、これにより機能層末端部21が互いに縛り付けられる一方、シャンクは靴型の上で伸ばされている(図18には示さず)。
【００５８】
この変型において、メッシュストリップ27は、一方の長辺は甲材料末端部21に及び別の長辺は紐釣り込み45の紐穴49に沿って縫い合わされ、その結果機能層末端部23の突出物25は、メッシュストリップ27によって橋渡しされ、かつ甲材料部21は水平に保たれる。反応性ホットメルト接着剤33は、メッシュストリップ27の底に塗布され、これは反応した状態で機能層末端部23の領域において機能層15の水密性シーリングをもたらす。反応性ホットメルト接着剤33は、可能ならば、そのシーリング内に紐釣り込み45及び／又はメッシュストリップ27と甲材料末端部31の間のシーム29を含むように寸法決定される。
【００５９】
反応性ホットメルト接着剤33の塗布後、平板様本底39を、本底グルー37により水平シャンク領域の底面上にグルー接着する。図18には示されていないが、本底グルーは、この変型において、本底39がグルー接着する前に甲材料末端部21の底面に塗布することができる。
図19は、メッシュストリップを有さないが、この目的のために第二の紐釣り込み47を有し、これにより甲材料末端部21を水平位置に互いに縛っている以外は、図18に示した第十二の変型に一致する第十三の変型を示している。この変型において、反応性ホットメルト接着剤33は、機能層末端部21の突出物25の外側に直接塗布される。
【００６０】
第二の紐釣り込み47は、ループ様紐穴49を有し、これは甲材料末端部21の内側周縁全体に伸びており、かつこの中に紐51が配置され、これにより甲材料末端部21が互いに縛られている一方で、シャンクが靴型全体を覆って伸びている(図18に示さず)。
その後反応性ホットメルト接着剤33は、可能であるならば、紐釣り込み45及び47のシーリング内に含まれるように釣り合いをとる。
製造の補助装置、すなわち、プレス装置53が、非常に概略的に図20に示されていて、これにより反応性ホットメルト接着剤33が、機能層末端部21の外側に対して液体状態で圧着され得る。図21において、これは、図7に示された第四の変型の靴デザインについて示されているが、他の説明された全ての変型において使用することができる。
機能層末端部23における反応性ホットメルト接着剤33の機能層15の外側への特に密なグルー接着を確実にするために、好ましくは特にメッシュストリップを伴う靴変型において十分な反応性ホットメルト接着剤33が機能層15表面へと浸透することを確実にするために、反応性ホットメルト接着剤33を塗布しかつ任意に活性化により液体状態にした後、これはプレス装置53により機能層末端部23方向へ圧着される。
【００６１】
プレス装置53は、図20に示した形の平坦なシェル形、又は図20に示した以外の別の形を有することができ、これは対応する靴デザインの形状によって決まる。プレス装置53は、圧力クッションとして、例えばラバークッション又はエアークッション、すなわち空気が充填されたクッションの形で、設計することもできる。圧着過程において反応性ホットメルト接着剤33と接触するようにされたプレス装置53の少なくとも表面は、反応性ホットメルト接着剤33により湿潤しないような材料、すなわちそれにグルー接着しないような材料により製造される。ポリテトラフルオロエチレン(商標名テフロン（登録商標）としても知られている)で製造された表面を伴うプレス装置53は特に適しており、これは平滑表面を有するが、機能層に適している延伸膨張された微孔性テトラフルオロエチレンのような多孔性表面は有さない。プレス装置53の表面それ自身は、このような材料からなるか、又はこのような材料のフィルムが圧着過程の前に靴のソール構造及びプレス装置53の間に導入される。
【００６２】
図21は、比例せずに概略化され比例せずに大きく拡大された二次元描写における、分子鎖の三次元架橋により反応された反応性ホットメルト接着剤33を伴うソール構造の断面を示している(機能層末端部23及び中底17を連接しているシーム31は示していない)。二次元で示されている図22には示されていない(図の表面に対して垂直)、架橋の三次元の出現は、反応性ホットメルト接着剤33の分子鎖も三次元で架橋するという事実によるものである。三次元架橋は、接着剤への水の浸透に対する特に強力な防御をもたらす。
【図面の簡単な説明】
【図１】
本底を含まない、本発明の靴の第一の変型の底面を概略的に示している。
【図２】
図１に示された靴のソール部分の側面を概略的に示している。
【図３】
本底を含まない、本発明の靴の第二の変型の底面を概略的に示している。
【図４】
図１に示された靴のソール部分の側面を概略的に示している。
【図５】
反応性ホットメルト接着剤の圧着のためのプレス装置を概略を追加する以外は、図２と同じものの側面を概略的に示している。
【図６】
中底、垂直甲材料末端部、及びほぼ垂直のメッシュストリップを備えた、本発明の靴の第三の変型の断面を概略的に示している。
【図７】
中底、垂直な甲材料末端部、水平な機能層末端部、及びほぼ水平なメッシュストリップを備えた、本発明の第四の靴の変型の断面を概略的に示している。
【図８】
中底、水平の甲材料末端部、及びほぼ水平のメッシュストリップを備えた、本発明の第五の靴の変型の断面を概略的に示している。
【図９】
本底を有さない、第五の変型の斜視断面を概略的に示している。
【図１０】
本底を有する以外は図９と同じものの側面を概略的に示している。
【図１１】
第五の変型の靴全体の部分破断斜視図を概略的に示している。
【図１２】
メッシュストリップを備えない、第三のデザインを持つ、本発明の靴の第六の変型を概略的に示している。
【図１３】
甲材料末端部及び機能層の間に固定用グルーを追加している以外は第六の変型と一致する、本発明の靴の第七の変型を概略的に示している。
【図１４】
メッシュストリップを有さない第四の変型としてデザインされた、本発明の靴の第八の変型を概略的に示している。
【図１５】
甲材料末端部及び機能層の間に固定用グルーを追加している以外は第八の変型と一致する、本発明の靴の第九の変型を概略的に示している。
【図１６】
メッシュストリップを備えない、第五の変型のデザインを持つ、本発明の靴の第十の変型を概略的に示している。
【図１７】
甲材料末端部及び機能層の間に固定用グルーを追加している以外は第十の変型と一致する、本発明の靴の第十一の変型を概略的に示している。
【図１８】
機能層末端部が、メッシュストリップを伴う紐釣り込みと並んで水平に伸びているような、中底を有さない本発明の靴の第十二の変型を概略的に示している。
【図１９】
メッシュストリップを有さないが第二の紐釣り込みを有する、第十二の変型のデザインの、本発明の靴の第十三の変型を概略的に示している。
【図２０】
本底を有さないが、予め塗布された反応性ホットメルト接着剤の圧着のためのプレス装置を有する、本発明の第十四の変型を概略的に示している。
【図２１】
分子鎖の三次元架橋により硬化された反応性ホットメルト接着剤を伴うソール構造の断面の、強力に延伸された、大きさが比例していない、二次元図を概略的に示している。